(57)【要約】鼻腔の大きさや形状の相違にかかわらず、巾広く用いることができ、洗浄液の供給角度、供給量、供給箇所を調整することができる洗浄ノズル構造を提供する。鼻腔内洗浄液が保持されたフィルム容器から供給される鼻腔内洗浄液が通過する９０〜１６０度の曲率半径をもって屈曲する筒状パイプと、当該パイプと連接する鼻腔挿入部を有し、当該鼻腔挿入部は前記筒状パイプに連接する後端部が鼻腔開口部より大きな径で先端に向かって小径となるように形成され、先端部は５ｍｍ〜１０ｍｍの円形状となり、当該先端部は二重構造となっており、内側には鼻腔内洗浄液の出入口を有する５ｍｍ〜１０ｍｍの径を有する止水栓を有し、その外側には前記止水栓を覆うように外嵌された少なくとも一以上の射出口を有するノズル先端と、を有する鼻腔洗浄器の洗浄ノズルである。またノズルの先端部に可撓性閉鎖材を設けても良い。
2014104066.tif 000002
【特許請求の範囲】
【請求項１】
鼻腔内洗浄液が保持されたフィルム容器に接続される鼻腔洗浄器の洗浄ノズルにおいて、前記フィルム容器から供給される鼻腔内洗浄液が通過する９０〜１６０度の曲率半径をもって屈曲する筒状パイプと、当該パイプと連接する鼻腔挿入部を有し、当該鼻腔挿入部は前記筒状パイプに連接する後端部が鼻腔開口部より大きな径で先端に向かって小径となるように形成され、先端部は５ｍｍ〜１０ｍｍの円形状となり、当該先端部は二重構造となっており、内側には鼻腔内洗浄液の出入口を有する５ｍｍ〜１０ｍｍの径を有する止水栓を有し、その外側には前記止水栓を覆うように外嵌された少なくとも一以上の射出口を有するノズル先端と、を有することを特徴とする鼻腔洗浄器の洗浄ノズル。
【請求項２】
前記ノズル先端の先端部が５ｍｍ〜１０ｍｍの円形状の平坦部に形成され、当該平坦部に副鼻腔への鼻腔洗浄液の侵入を防止する鼻気道より大きな径を有する円形状の可撓性閉鎖材が連設され、前記射出口が前記可撓性閉鎖材の根部の外周部に設けられていることを特徴とする請求項１に記載された鼻腔洗浄器の洗浄ノズル。
【請求項３】
前記可撓性閉鎖材が前記ノズル先端の先端部に形成された平坦部の中心から延伸する円柱状の支柱の先端に形成され、前記射出口が前記支柱の根部の外周部に設けられていることを特徴とする請求項２に記載された鼻腔洗浄器の洗浄ノズル。
【発明の詳細な説明】
【技術分野】
【０００１】
本発明は、外鼻孔から鼻腔洗浄液を流し込んで鼻腔内を洗浄する鼻洗浄器に関する。
【背景技術】
【０００２】
従来より、鼻腔内の様々な治療に鼻腔を洗浄するための装置が使用されている。
例えば、花粉、微生物、ハウスダスト等の異物が、鼻腔粘膜に付着することによって、上皮組織である粘膜が反応して、耐え難い不快感を感じたり、アレルギー疾患や感染症等の各種疾患を発症する場合がある。このような場合に、粘膜に付着した異物を除去するために、鼻腔洗浄器が用いられる。
また鼻腔内の毛を抜くことにより、毛を抜いた小さい傷から感染が起こり、部分的に粘膜が腫れることがある。このような場合に、傷口を洗浄又は消毒するために鼻腔洗浄器が用いられる。
さらに鼻腔粘膜に急性の炎症が起き、鼻が詰まったような状態になる場合がある。このような場合に、血管収縮剤を有する点鼻薬を供給して鼻粘膜の炎症を一時的に緩和することができる。【０００３】
このような場合に用いられる鼻腔洗浄器としては、例えば、特許文献１及び２に開示された構成等が知られている。これらの鼻腔洗浄器は、先端に形成された細いノズルを鼻孔へ挿入した後に胴部を押圧することによって、胴部に保持されている鼻腔洗浄液を洗浄器の先端部より鼻腔内に供給する点で共通する。
しかし、上述した如く鼻腔内の洗浄といっても、様々な症状があって、また鼻腔内においては患部も異なっている。従来の鼻腔洗浄器では、供給量を加減する事や、洗浄液の射出角度を調整するようなことはできるが、症状にあわせて供給角度、供給量、供給箇所を微調整することは困難であった。
【先行技術文献】
【特許文献】
【０００４】
【特許文献１】実用新案登録第３１３８０２０号公報
【特許文献２】実開平５−４８９３７号公報
【発明の開示】
【発明が解決しようとする課題】
【０００５】
本発明は、鼻腔の大きさや形状の相違にかかわらず、巾広く用いることができる鼻腔洗浄器を提供することを目的とする。
また、従来の鼻腔洗浄器が解決できなかった様々な症状にあわせて、洗浄液の供給角度、供給量、供給箇所を調整することができる洗浄ノズル構造を提供することを目的とする。
【課題を解決するための手段】
【０００６】
本発明者は、従来技術の上記課題を解決するために、鼻腔洗浄器の洗浄ノズルに以下の構成を採用した。
（１）鼻腔内洗浄液が保持されたフィルム容器に接続される鼻腔洗浄器の洗浄ノズルにおいて、前記フィルム容器から供給される鼻腔内洗浄液が通過する９０〜１６０度の曲率半径をもって屈曲する筒状パイプと、当該パイプと連接する鼻腔挿入部を有し、当該鼻腔挿入部は前記筒状パイプに連接する後端部が鼻腔開口部より大きな径で先端に向かって小径となるように形成され、先端部は５ｍｍ〜１０ｍｍの円形状となり、当該先端部は二重構造となっており、内側には鼻腔内洗浄液の出入口を有する５ｍｍ〜１０ｍｍの径を有する止水栓を有し、その外側には前記止水栓を覆うように外嵌された少なくとも一以上の射出口を有するノズル先端と、を有することを特徴とする鼻腔洗浄器の洗浄ノズルである。【０００７】
（２）前記ノズル先端の先端部が５ｍｍ〜１２ｍｍの円形状の平坦部に形成され、当該平坦部に副鼻腔への鼻腔洗浄液の侵入を防止する鼻気道より大きな径を有する円形状の可撓性閉鎖材が連設され、前記射出口が前記可撓性閉鎖材の根部の外周部に設けられていることを特徴とする上記（１）に記載された鼻腔洗浄器の洗浄ノズルである。
（３）前記可撓性閉鎖材が前記ノズル先端の先端部に形成された平坦部の中心から延伸する円柱状の支柱の先端に形成され、前記射出口が前記支柱の根部の外周部に設けられていることを特徴とする上記（２）に記載された鼻腔洗浄器の洗浄ノズルである。
【発明の効果】
【０００８】
本発明に係る鼻腔洗浄器の洗浄ノズルは、鼻腔の大きさや形状の相違にかかわらず、巾広く用いることができる鼻腔洗浄器を提供した。
また、洗浄ノズルの先端を着脱することにより、症状にあわせて洗浄液の供給角度、供給量、供給箇所を調整することができる優れた効果を奏する。
【図面の簡単な説明】
【０００９】
【図１】本発明の鼻腔洗浄器の洗浄ノズルに係る実施形態１を示す図である。（ａ）は正面図、（ｂ）は右側面図である。
【図２】図１（ｂ）におけるＦ方向からみた正面図である。
【図３】本発明の鼻腔洗浄器に係る実施形態２を示す右側面図である。
【図４】図３における鼻腔洗浄器の洗浄ノズル部分の断面図である。
【図５】本発明の鼻腔洗浄器の洗浄ノズルに係る実施形態３を示す図である。（ａ）は正面図、（ｂ）は右側面図である。
【図６】本発明の鼻腔洗浄器の洗浄ノズルに係る実施形態４を示す図である。（ａ）は正面図、（ｂ）は右側面図である。
【図７】実施形態４に係る鼻腔洗浄器の洗浄ノズルの作用を説明するための概念図である。
【発明を実施するための形態】
【００１０】
本発明に係る鼻腔洗浄器の洗浄ノズルは、鼻腔内洗浄液が保持された容器に溶着や螺着によって接続することにより取り付けられる。
ここで洗浄液を保持する容器としては、液体を保持できれば、どのような部材、形状を採用してもよい。例えば、フィルム容器としては、ポリエステルフィルム（ＰＥＴ）、二軸延伸ポリプロピレンフィルムあるいは二軸延伸ナイロンフィルムを積層した外層側フィルムと、３０〜６０μｍの高密度ポリエチレン（ＬＬＤＰＲ）、低密度ポリエチレン（ＬＤＰＥ）、あるいは厚さ３０〜４０μｍの実延伸ポリプロピレンフィルム（ＣＰＰ）を積層した内層側フィルムとを接着したラミネートフィルムが挙げられる。このようなラミネートフィルムを用いることによって、外層側フィルムの表面に印刷することが可能である。また内容物である鼻腔洗浄液を酸化や紫外線による劣化を抑止することもでき好適である。
【００１１】
次に本発明に係る鼻腔内洗浄液としては、症状にあわせて様々な溶液を用いることができる。例えば、鼻粘膜の洗浄には、食塩水溶液を用いることができる。また、鼻づまりの緩和には、うっ血除去薬、抗ヒスタミン剤、クロモギルケート、ステロイド剤、および抗生物質等が挙げら得る。
次に本発明に係る９０〜１６０度の曲率半径をもって屈曲する筒状のパイプについて説明する。筒状のパイプは洗浄液が保持された容器とノズル先端とを連結する管である。材料は特に限定されるものではないが、少なくとも可撓性及び弾力性を有する合成樹脂などで形成されていることが好ましい。例えば、低密度ポリエチレン、高密度ポリエチレン、ポリスチレン系エラストマー、ポリオレフィン系エラストマー、ポリアミド系エラストマーなどの熱可塑性材料が好ましく、射出成形などにより形成することができる。ただし、天然ゴム、シリコーンゴム、フッ素ゴム、ウレタンゴム等の熱硬化性材料により形成することもできる。
【００１２】
また筒状のパイプの曲率半径については、使い易さの観点から９０度〜１６０度に限定している。
また本発明に係る鼻腔挿入部は前記筒状のパイプに連接する後端部が鼻腔開口部より大きな径で先端に向かって小径となるように形成されている。このように形成することにより鼻腔の大きさや形状の相違にかかわらず、大人から子供まで巾広く用いることができる。
【００１３】
先端部は５ｍｍ〜１０ｍｍの円形状となっている。当該先端部は二重構造となっており、内側には鼻腔内洗浄液の出入口を有する５ｍｍ〜１０ｍｍの径を有する止水栓を有している。止水栓の外側には止水栓を覆うように少なくとも一以上の射出口を有するノズル先端が外嵌されている。外嵌は、止水線の外周に雌ネジを形成し、ノズル先端の内周に雄ネジを形成することによって螺着する構造を採用してもよいし、止水線の外周に形成された凹部にノズル先端の内周に形成された凸部をはめ込む構造を採用しても良い。
【００１４】
このように先端部を５〜１０ｍｍの円形状に小さく形成することにより、鼻気道の奥の方まで洗浄ノズルを納入することが可能となる。
また先端部を止水栓とノズル先端との二重構造とし、止水栓から外側にあるノズル先端を着脱可能とすることによって、射出口の数、大きさ、角度などを変えた様々なノズル先端を付け替えることができるようになるため、症状にあわせて洗浄液の供給角度、供給量、供給箇所を調整することができる。
【００１５】
本発明に用いられるノズル先端の先端部が５ｍｍ〜１２ｍｍの円形状の平坦部が形成された円形状の可撓性閉鎖材は、ノズル先端を鼻腔内に挿入すると円形状の外周が鼻気道の内周壁に接触し裏返り、丁度傘のような状態になる。この状態で固定した後に、鼻腔内洗浄剤を鼻腔内に供給することによって、可撓性閉鎖材の根部の外周部に設けられた射出口より洗浄剤が射出される。そして射出された洗浄剤は、可撓性閉鎖材の下面側にぶつかるか、少なくとも可撓性閉鎖材より下方向へのみ洗浄剤を供給することができる。
このような構造によって、鼻孔の入口近傍の患部にのみ洗浄剤を供給する事が出来、鼻気道の奥にある副鼻腔への鼻腔洗浄液の侵入を防止することができる。
【００１６】
かかる可撓性閉鎖材は、低密度ポリエチレン、高密度ポリエチレン、ポリスチレン系エラストマー、ポリオレフィン系エラストマー、ポリアミド系エラストマーなどの熱可塑性材料が好ましく、射出成形などにより形成することができる。ただし、天然ゴム、シリコーンゴム、フッ素ゴム、ウレタンゴム等の熱硬化性材料により形成することもできる。透明性材料で形成する場合は、ポリスチレン系エラストマー、ポリウレタン系エラストマー、１，２−ポリブタジエン系エラストマー、エチレン−酢酸ビニル系エラストマー、ポリ塩化ビニル系エラストマーなどを用いることができる。
【００１７】
また上記可撓性閉鎖材を平坦部の中心から延伸する円柱状の支柱の先端に形成しても良い。このように構造を採用することによって、射出口と可撓性閉鎖材の間における患部にも洗浄剤を供給できるし、花気道の更に奥の方まで鼻腔洗浄器を挿入することができる。
ここで、円柱状の支柱を形成する材料は特に限定されるものではないが、少なくとも可撓性及び弾力性を有する合成樹脂などで形成されていることが好ましい。例えば、低密度ポリエチレン、高密度ポリエチレン、ポリスチレン系エラストマー、ポリオレフィン系エラストマー、ポリアミド系エラストマーなどの熱可塑性材料が好ましく、射出成形などにより形成することができる。
【００１８】
次に図面に則して本発明の鼻腔洗浄器の洗浄ノズルに係る実施形態を説明する。
実施形態１
図１及び図２は、本発明の鼻腔洗浄器の洗浄ノズルに係る実施形態１を示す図である。図１（ａ）は正面図、図１（ｂ）は右側面図である。
図１（ａ）に示す如く、本発明の鼻腔洗浄器の洗浄ノズル１は、図示しないフィルム容器から供給される鼻腔内洗浄液が通過する筒状パイプ２と、前記筒状パイプ２と連接する鼻腔挿入部３とを有している。
次に図１（ｂ）に示す如く、筒状パイプ２は、図示しないフィルム容器から供給される鼻腔内洗浄液が通過する１２０度の曲率半径をもって屈曲して形成されている。かかる筒状パイプ２と連接している鼻腔挿入部３は、前記筒状パイプ２に連接する後端部８が鼻腔開口部より大きな径で先端に向かって小径となるように形成されている。
図２は、図１（ｂ）におけるＦ方向からみた正面図である。鼻腔挿入部３のノズル先端４は、先端部がφ７ｍｍの円形状に形成され、４つの射出口７が等間隔で配置されている。かかる４つの射出口７から鼻腔内洗浄液を鼻孔内へ供給することにより鼻腔内を洗浄することができる。
【００１９】
実施形態２
図３及び図４は、本発明の鼻腔洗浄器に係る実施形態２を示す図である。
図３に示す如く、本実施形態２に係る鼻腔洗浄器１０は、鼻腔内洗浄液が保持されたフィルム容器１５に洗浄ノズルが接続されている。本実施形態２に係るフィルム容器１５は、ＰＥＴと二軸延伸ポリプロピレンフィルムを積層した外層側フィルムと、４０μｍのＬＬＤＰＲとＬＤＰＥとを積層した内層側フィルムとを接着したラミネートフィルムによって形成されている。フィルム容器１５は、開口部を除く外周部がヒートシールされている。
かかるフィルム容器１５から供給される鼻腔内洗浄液は、１２０度の曲率半径をもって屈曲する筒状パイプ１２を通過する。そして筒状パイプ１２は、鼻腔挿入部１３と連接している。ここで、鼻腔挿入部１３は、前記筒状パイプ１２に連接する後端部１８が鼻腔開口部より大きな径で先端に向かって小径となるように形成されている。
洗浄ノズルは、外嵌めスクリューキャップ１９によって、フィルム溶着基材１６に螺着され、フィルム溶着基材１６は、フィルム容器１５の開口部に密封溶着されている。
洗浄ノズルは、外嵌めスクリューキャップ１９を外すことによって、フィルム容器１５から外すことができ、洗浄ノズルを外すことによってフィルム溶着基材１６の開口部から鼻腔内洗浄液を補充することができる。
【００２０】
図４は、鼻腔洗浄器１０の洗浄ノズル部分の断面図である。図４に示す如く、洗浄ノズルにおける筒状パイプ１２は、フィルム容器１５から供給される鼻腔内洗浄液が通過する１２０度の曲率半径をもって屈曲して形成されている。かかる筒状パイプ１２と連接している鼻腔挿入部１３は、前記筒状パイプ１２に連接する後端部１８が鼻腔開口部より大きな径で先端に向かって小径となるように形成されている。
洗浄ノズルの先端部は二重構造となっており、内側には鼻腔内洗浄液の出口を有する７ｍｍの径を有する止水栓２０を有し、その外側には前記止水栓を覆うように外嵌された射出口１７，１７を有するノズル先端２１と、を有する。ノズル先端２１の先端部裏面には止水栓２０の出口に挿入される突起２４が形成されている。また、ノズル先端２１の外側にはキャップ２２が外嵌されている。キャップ２２は使用時に外して用いられる。
止水栓２０は、鼻腔挿入部１３に内嵌めされており、ノズル先端２１は、鼻腔挿入部１３の先端に螺着されている。このような構造を採用することにより、射出口の数や大きさの異なるノズル先端２１を複数用意し、適宜脱着することにより、症状にあわせて洗浄液の供給量等を調整することができる。
洗浄ノズルは、外嵌めスクリューキャップ１９によって、フィルム溶着基材１６に螺着され、フィルム溶着基材１６は、フィルム容器１５の開口部に密封溶着されている。
また洗浄ノズルは、外嵌めスクリューキャップ１９を外すことによって、フィルム容器１５から外すことができ、洗浄ノズルを外すことによってフィルム溶着基材１６の開口部から鼻腔内洗浄液を補充することができる。
【００２１】
実施形態３
図５は、本発明の鼻腔洗浄器の洗浄ノズルに係る実施形態３を示す図である。図５（ａ）は正面図、図５（ｂ）は右側面図である。
図５（ａ）に示す如く、本発明の鼻腔洗浄器の洗浄ノズル３０は、図示しないフィルム容器から供給される鼻腔内洗浄液が通過する筒状パイプ３２と、前記筒状パイプ３２と連接する鼻腔挿入部３３とを有している。
次に図５（ｂ）に示す如く、筒状パイプ３２は、図示しないフィルム容器から供給される鼻腔内洗浄液が通過する１２０度の曲率半径をもって屈曲して形成されている。かかる筒状パイプ３２と連接している鼻腔挿入部３３は、前記筒状パイプ３２に連接する後端部３８が鼻腔開口部より大きな径で先端に向かって小径となるように形成されている。
前記ノズル先端３４の先端部は、７ｍｍの円形状の平坦部に形成され、当該平坦部に副鼻腔への鼻腔洗浄液の侵入を防止する鼻気道より大きな径を有する円形状の可撓性閉鎖材３６が連設されている。
そして、実施形態３に係る鼻腔洗浄器の洗浄ノズル３０においては、射出口３７が前記可撓性閉鎖材３６の根部の外周部に設けられていることを特徴とする。
【００２２】
実施形態４
図６は、本発明の鼻腔洗浄器の洗浄ノズルに係る実施形態４を示す図である。図６（ａ）は正面図、図６（ｂ）は右側面図である。
図６（ａ）に示す如く、本発明の鼻腔洗浄器の洗浄ノズル４０は、図示しないフィルム容器から供給される鼻腔内洗浄液が通過する筒状パイプ４２と、前記筒状パイプ４２と連接する鼻腔挿入部４３とを有している。
次に図６（ｂ）に示す如く、筒状パイプ４２は、図示しないフィルム容器から供給される鼻腔内洗浄液が通過する１２０度の曲率半径をもって屈曲して形成されている。かかる筒状パイプ４２と連接している鼻腔挿入部４３は、前記筒状パイプ４２に連接する後端部４８が鼻腔開口部より大きな径で先端に向かって小径となるように形成されている。
前記ノズル先端４４の先端部は、７ｍｍの円形状の平坦部に形成されている。そして当該平坦部に副鼻腔への鼻腔洗浄液の侵入を防止する鼻気道より大きな径を有する円形状の可撓性閉鎖材４６が連設されている。かかる可撓性閉鎖材４６は、前記ノズル先端４４の先端部に形成された平坦部から延伸する円柱状の支柱４８の先端に形成されている。そして、実施形態４に係る鼻腔洗浄器の洗浄ノズル４０においては、射出口４７は、前記支柱４８の根部の外周部に設けられていることを特徴とする。
【００２３】
図７は、実施形態４に係る鼻腔洗浄器の洗浄ノズル４０の作用効果を説明する概念図である。
図７に示す如く、本発明に用いられる円形状の可撓性閉鎖材４６は、ノズル先端を鼻腔内に挿入すると、円形状の外周が鼻気道５１の内周壁に接触し裏返り、丁度傘のような状態になる。この状態で固定した後に、鼻腔内洗浄剤を鼻腔内に供給することによって、可撓性閉鎖材４６の根部の外周部に設けられた射出口４７，４７より洗浄剤が射出される。そして射出された洗浄剤は、可撓性閉鎖材４６の下面側にぶつかるか、少なくとも可撓性閉鎖材４６より手前方向へのみ洗浄剤を供給することができる。
このような構造によって、鼻孔の入口近傍の患部５２にのみ洗浄剤を供給する事が出来、鼻気道５１の奥にある副鼻腔への鼻腔洗浄液の侵入を防止することができる。
【符号の説明】
【００２４】
１，３０，４０  洗浄ノズル
２，１２，３２，４２  筒状パイプ
３，１３，３３，４３  鼻腔挿入部
７    射出口
８，１８，４８  後端部
１０  鼻腔洗浄器
１５  フィルム容器
１７  射出口
３４，４４  ノズル先端
３６，４６  可撓性閉鎖材
４８  支柱
【図１】
2014104066.tif 000003
【図２】
2014104066.tif 000004
【図３】
2014104066.tif 000005
【図４】
2014104066.tif 000006
【図５】
2014104066.tif 000007
【図６】
2014104066.tif 000008
【図７】
2014104066.tif 000009
【国際調査報告】
2014104066.tif 000010
2014104066.tif 000011